(57)【特許請求の範囲】
【請求項１】
第１の原稿台上で静止した原稿の画像を露光用光源を前記第１の原稿台の下方を移動させつつ読み取る原稿固定方式の原稿読取処理と、第２の原稿台上を移動している原稿の画像を前記露光用光源を前記第２の原稿台の下方の所定位置に停止させて読み取る原稿移動方式の原稿読取処理と、を選択的に実行する原稿読取装置であって、
前記原稿移動方式の原稿読取処理時における前記露光用光源への入力電圧を、前記原稿固定方式の原稿読取処理時における前記露光用光源への入力電圧よりも低く設定するとともに、
前記原稿移動方式の原稿読取処理時における前記露光用光源からの原稿に対する照射光のレベルを前記原稿固定方式の原稿読取処理時における前記露光用光源からの原稿に対する照射光のレベルと実質的に等しくする焦点深度を有するとともに前記所定位置における前記露光用光源からの原稿に対する照射光を前記第２の原稿台上の原稿読取位置に集光させる集光レンズを、前記第２の原稿台上の原稿読取位置と前記所定位置との間に配置することによって、前記所定位置における前記露光用光源の前記第２の原稿台上の原稿に対する照射光量が、前記露光用光源への入力電圧を下げたことが原因で不足しないようにすることを特徴とする原稿読取装置。
【請求項２】
前記原稿移動方式の原稿読取処理時における前記露光用光源への入力電圧を、前記原稿固定方式の原稿読取処理時における前記露光用光源への入力電圧の８０％に設定することを特徴とする請求項１に記載の原稿読取装置。
【請求項３】
前記集光レンズは、前記第２の原稿台上の原稿読取位置からの受光画像情報の光路を遮蔽しない位置に配置されることを特徴とする請求項１または２に記載の原稿読取装置。
【請求項４】
前記集光レンズは、前記第２の原稿台としてのプラテンガラスと兼用に構成されることを特徴とする請求項１〜３のいずれか１項に記載の原稿読取装置。
【発明の詳細な説明】
【０００１】
【発明の属する技術分野】
本発明は、画像形成装置における原稿読み取り装置の光源光量の調整技術に関する。
【０００２】
【従来の技術】
原稿の読み取り方式は、原稿移動方式と原稿固定方式の２方式があり、近年、装置のコンパクト化のために両方式を併設した原稿読み取り装置が多く用いられている。この様な読み取り方式においては、原稿照射用の光源から発生する熱量によってプラテンガラスを含む光学ユニットに歪みが発生し、読み取り精度が変化してしまう等の問題が発生していた。
【０００３】
特に、光学ユニットを位置固定して読み取る原稿移動方式においては問題点の発生が大きく、光源からの発熱を減少させるために、原稿読み取り装置の原稿搬送タイミングに同期して原稿が読み取り部を通過するときだけ、光源の照射を行うように制御するようにした装置もある。
【０００４】
例えば、特開平９−２１２０６６号報には、画像形成装置の各ユニットの温度が所定温度以上に上昇した時には、上昇したユニットの温度を低下させるために、ファンを動作させて、冷却用の空気流を発生させることにより、温度を低下させるようにした構成が提案されている。
【０００５】
また、この方法を光学ユニットに応用した先行技術として、不揮発ＲＡＭを用いてファンの動作を制御し、光学ユニット内の温度を一定に保持しようとした技術が、特開平５−３３３６２７号報に開示されている。
【０００６】
【発明が解決しようとする課題】
上記のように、従来の技術では、光学ユニットの温度そのものを上昇させないようにするのではなく、単に、光学ユニット内で上昇した温度を低下させるための技術ないしは方法が開示されているに過ぎず、従来では、根本的な昇温防止対策とは言いがたい。
【０００７】
また、上記２つの従来例では、光学ユニットの上昇した温度を検出するためのセンサーや、その検出値と、正常値（基準とする値）との比較を行う制御回路が必要となり、そのために、装置が大型化し、かつ、その制御内容も煩雑化するため、コスト高ともなっていた。
【０００８】
さらに、ファンを設けることにより、装置の外部からゴミ、ホコリを吸い込む可能性が大きくなり、ミラーや、レンズにこれらの異物が付着して画像にスジが発生したり、画像品質が低下したりすることがあった。
【０００９】
また、原稿の読み取り時にのみ、光源の点灯を行う方法では、温度の上昇は若干低減可能であるとしても、光源のＯＮ−ＯＦＦ動作によって、光量の変化が発生し、安定した光量を得にくくなるという難点があった。
【００１０】
本発明は、このような実情に鑑みてなされ、光学ユニットの発熱現象そのものを抑制できるようにした原稿読み取り装置を提供することを目的とする。
【００１１】
【課題を解決するための手段】
本発明は、上述の課題を解決するための手段を以下のように構成している。
【００１２】
（１）  第１の原稿台上で静止した原稿の画像を露光用光源を前記第１の原稿台の下方を移動させつつ読み取る原稿固定方式の原稿読取処理と、第２の原稿台上を移動している原稿の画像を前記露光用光源を前記第２の原稿台の下方の所定位置に停止させて読み取る原稿移動方式の原稿読取処理と、を選択的に実行する原稿読取装置であって、
前記原稿移動方式の原稿読取処理時における前記露光用光源への入力電圧を、前記原稿固定方式の原稿読取処理時における前記露光用光源への入力電圧よりも低く設定するとともに、
前記原稿移動方式の原稿読取処理時における前記露光用光源からの原稿に対する照射光のレベルを前記原稿固定方式の原稿読取処理時における前記露光用光源からの原稿に対する照射光のレベルと実質的に等しくする焦点深度を有するとともに前記所定位置における前記露光用光源からの原稿に対する照射光を前記第２の原稿台上の原稿読取位置に集光させる集光レンズを、前記第２の原稿台上の原稿読取位置と前記所定位置との間に配置することによって、前記所定位置における前記露光用光源の前記第２の原稿台上の原稿に対する照射光量が、前記露光用光源への入力電圧を下げたことが原因で不足しないようにすることを特徴とする。
【００２２】
（２）  前記原稿移動方式の原稿読取処理時における露光用光源への入力電圧を、前記原稿固定方式の原稿読取処理時における前記露光用光源への入力電圧の８０％に設定することを特徴する。
【００２３】
（３）  前記集光レンズは、前記第２の原稿台上の原稿読取位置からの受光画像情報の光路を遮蔽しない位置に配置されることを特徴とする。
【００２４】
この構成によれば、光源と、原稿読み取り位置との間に、集光レンズを配置することにより、原稿面への照射光のみ集光し、受光画像情報へ影響を与えることなく、原稿面照度を向上させることができる。
【００２５】
（４）  前記集光レンズは、前記第２の原稿台としてのプラテンガラスと兼用に構成されることを特徴とする。
【００２６】
この構成によれば、集光レンズを単独で（独立に）配置するよりも、プラテンガラスと兼用して一体化することにより、機構の小型化が可能となり、構成の簡素化をも図ることができる。
【００３２】
【発明の実施の形態】
以下に、本発明の実施形態に係る原稿読み取り装置について図面を参照しつつ、説明する。図１は、画像形成装置の構成を示し、装置上部には、透明なガラス等からなる原稿台２１が設けられている。この原稿台２１の下方には、スキャナー光学系１００が配置されている。このスキャナー光学系１００は、原稿台２１上に載置される原稿（図示省略）に対して、光を照射する露光用の光源２２と、原稿からの反射光を、例えば、図中の一点鎖線で示すように、このスキャナー光学系１００内の結像レンズ２４を通した向こう側（右側）に配置されている光電変換素子（ＣＣＤ）２５に導く複数のミラーからなる反射鏡２３と、光路中に配置される前記結像レンズ２４と、前記ＣＣＤ２５とを備えている。そして、装置本体上部には、図２に示す移動式原稿読み取り装置５００（図１では図示を省略している）が搭載される。以上で、原稿読み取り部２００が構成される。
【００３３】
ＣＣＤ２５によって読み取られた原稿画像データは、画像処理が施された後、レーザースキヤニングユニット（以下ＬＳＵ３０と称する）により、レーザー光が感光体２６の表面に照射され、静電潜像が形成される。感光体２６は、反時計回りに回転駆動されるドラム形状をなしており、この感光体２６の周囲には、レーザー照射点から感光体２６の回転方向（反時計回り）に向かって、レーザーによって露光された感光体２６表面の静電潜像をトナーにより可視像に現像する現像装置２７、感光体２６上のトナー像を用紙に転写する転写チャージャーローラー２８、感光体２６を所定の電位に帯電させる主帯電器２９、および感光体２６のレーザー照射点に向けてレーザーを照射させるＬＳＵ３０等が順に設けられる。以上で、画像形成部３００が構成される。
【００３４】
また、転写紙Ｐは用紙トレイ３１に収納されており、用紙トレイ３１の先端部には転写紙Ｐを給紙するためのピックアップローラー３２が配置されており、下流側に向かって〔便宜上、転写紙Ｐの流れ出し（給紙トレイ）を上流、排紙側を下流とする〕転写紙Ｐの通過を検知するための入紙センサースイッチ３３、その入紙センサースイッチ３３からの検出信号を基に、感光体２６上のトナー像と転写紙の位置あわせをおこなうためのＰＳローラ３４、感光体２６上のトナー像を転写紙Ｐに転写するための転写チャージャー２８、転写紙Ｐ上のトナー像を熱により定着させる定着ローラー３５、排紙直前位置で、転写紙Ｐの通過を検知する排紙検知スイッチ３６、転写紙Ｐを排出するための前記排紙ローラー３７が配置されている。転写紙Ｐは、前記画像形成部３００の横に排紙され、原稿読み取り部２００の下部より前方へ排出される。なお、３９は手差しトレイ、４０はピックアップローラである。以上で、用紙搬送系４００が構成される。
【００３５】
次いで、装置本体上部に搭載される移動式原稿読み取り装置５００の構成について、図２に基づいて説明する。すなわち、読み取るべき原稿を載置する原稿トレイ１が、装置上部に傾斜状態に設けられ、その下流端には、ピックアップローラ２とさばき板３によって構成される原稿給紙部９が配設され、その原稿給紙部９には、下方に向けて略円弧状に湾曲するように形成された主搬送路４が接続され、その中間部には、原稿入紙センサー５が設けられ、また、下流側には、ＰＳローラ６が設けられている。
【００３６】
主搬送路４の下流端には、帯状のプラテンガラス７が設けられ、そのプラテンガラス７の上には、原稿押さえ板８が、スプリング８１によって下方に向けて付勢された状態に近接して設けられている。そのプラテンガラス７の下流側には、上向きに傾斜した排紙搬送路１０が接続され、その排紙搬送路１０の途中には、搬送ローラ１３が設けられている。
【００３７】
その排紙搬送路１０の下流端には、逆回転可能な排紙ローラ１４が設けられ、その排紙ローラ１４と中間トレイ１６との間には、上下に揺動操作される中間トレイ揺動板１５が設けられ、その中間トレイ１６の下方には、原稿排紙トレイ１７が設けられている。そして、その排紙搬送路１０の下流側から主搬送路４に延びる副搬送路１８が形成されている。
【００３８】
以上のように構成される原稿移動方式による原稿の読み取りモードについて説明すると、原稿移動方式による読み取りが選択されると、光源２２、第１ミラー２３１を有する第１キヤリッジ１１および第２、３ミラー２３２，２３３を有する第２キャリッジ１２は、左端に設定されたホームポジションＨ１から右端に設けられた原稿移動式原稿読み取り装置５００のホームポジションＨ２に移動し、要求枚数の読み取りが終了するまでそのホームポジションＨ２で待機する。
【００３９】
この原稿移動式原稿読み取り装置５００では、原稿トレイ１に載置された原稿はピックアップローラ２とさばき板３によって構成される原稿給紙部９によって１枚ずつの原稿が主搬送路４に搬送される。搬送された原稿は原稿入紙センサー５で原稿の搬送が確認された後、原稿先端と画像読み取りタイミングを調整するために配置されるＰＳローラ６で一旦停止し、タイミングを合わせた状態で再搬送され原稿読み取り部（プラテンガラス７、原稿押え板８）１９を通過する時に、光源２２によって原稿が照射され、反射鏡２３、結像レンズ２４を介して、ＣＣＤ２５で原稿の画像情報が読み取られ、その画像情報が図示しない制御部で画像処理される。
【００４０】
このようにして読み取られた原稿は、搬送ローラ１３を介して排紙部の逆回転可能な排紙ローラ１４を通過し、中間トレイ揺動板１５の位置（ホームポジションＭＨ１、およびホームポジションＭＨ２のいずれか）によって原稿の搬送方向が決定されて、中間トレイ１６、もしくは原稿排紙トレイ１７に搬出される。
【００４１】
次いで、このような構成の移動式原稿読み取り装置５００による『片面読み取り処理』を、図３および図４のフローチャートに基づいて説明する。
【００４２】
まず、印字要求（Ｓ４０１）の後、印紙条件、例えば、印字枚数、倍率、用紙サイズ、片面印字の選択等々の条件が入力され（この場合『片面印字』が選択される）（Ｓ４０２）、原稿が原稿トレイ１上に載置されると、原稿読み取り処理が開始される（Ｓ４０４）。その片面印字の原稿読み取り処理（Ｓ４０４）の内容の詳細については、図４に示される。
【００４３】
まず、（『片面印字』が選択されたことにより、）片面読み取り処理が選択されると、図４のＳ５０１に移行し、原稿排紙部の中間トレイ揺動板１５がホームポジションＭＨ１にあるか否かの判定がおこなわれる（Ｓ５０１）。この時、ホームポジションＭＨ１は、図２に実線で示され、その位置に設定されると、読み取り後の原稿は、原稿排紙トレイ１７に導出される。
【００４４】
Ｓ５０１において、中間トレイ揺動板１５が、ホームポジションＭＨ１にない時は、中間トレイ揺動板１５をホームポジションＭＨ１に移動させる（Ｓ５０９）。このように、中間トレイ揺動板１５の位置が決定した後に、原稿給紙用のピックアップローラ２によって原稿が搬送され（Ｓ５０２）、ＰＳローラ６で一旦停止し（Ｓ５０３）、原稿読み取りのタイミングに合わせて、原稿が再搬送される（Ｓ５０４）。
【００４５】
搬送された原稿は、原稿読み取り部１９において読み取られる（Ｓ５０５）。この時読み取られた原稿を制御部におけるメモリに入力するか否かの判定がおこなわれる（Ｓ５０６）。この判定は、前記Ｓ４０２において印字枚数を設定したときにシングル印字かマルチ印字かの枚数設定によって決定される。
【００４６】
Ｓ５０６において、メモリ入力が行われる時はマルチ印字を示し、メモリ入力を行わず読み取った原稿の画像情報を制御部において画像処理した後に画像形成部のレーザ発光部に送信する時はシングル印字を示す（Ｓ５１０）。このように、画像処理が行われている間に、原稿は、搬送ローラ１３を介して逆回転可能な排紙ローラ１４に搬送され、その原稿排紙方向への回転と中間トレイ揺動板１５の位置によって、原稿排紙トレイ１７に導出される（Ｓ５０７）。
【００４７】
このような原稿搬送機構および原稿読み取り部１９の動作によって片面原稿の読み取りが行われる。なお、『片面印字』は、読み取られるべき画像情報が片面にしかない場合だけではなく、両面に画像情報があっても、ユーザの読み取り要求が片面読み取りの場合も含まれるのは言うまでもない。
【００４８】
次に、移動式原稿読み取り装置５００による『両面読み取り処理』を、図３および図５に基づいて説明する。
まず、前記原稿読み取り処理（Ｓ４０４）において、両面読み取り処理が選択されると、図５のＳ６０１に移行し、両面原稿はピックアップローラ２によって搬送され、前述のように、ＰＳローラ６で一旦停止する（Ｓ６０２）。次に、中間トレイ揺動板１５がホームポジションＭＨ２にあるか否かの判定がおこなわれる（Ｓ６０３）。
【００４９】
この時、ホームポジションＭＨ２は、図２に破線で示され、その位置に設定されると、読み取り後の原稿は、中間トレイ１６に導出される。Ｓ６０３において、中間トレイ揺動板１５がホームポジションＭＨ２にない時は、中間トレイ揺動板１５をホームポジションＭＨ２に移動させる（Ｓ６２４）。このように、中間トレイ揺動板１５の位置が決定した後に、原稿は原稿読み取りタイミングに合わせて再搬送される（Ｓ６０４）。
【００５０】
搬送された原稿は、原稿読み取り部において原稿の表面原稿の画像情報が読み取られる（Ｓ６０５）。この時、読み取られた表面原稿の画像情報は制御部におけるメモリに入力され（Ｓ６０６）、そのメモリされた表面原稿の画像情報は画像処理された状態である。
【００５１】
このように、画像処理およびメモリされる間に、原稿は搬送ローラ１３を介して逆回転可能な排紙ローラ１４に搬送され、その原稿排紙方向への回転と中間トレイ揺動板１５の位置とによって、中間トレイ１６に導かれる（Ｓ６０７）。中間トレイ１６に導かれた原稿は原稿搬送方向の後端を逆回転可能な排紙ローラ１４に挟まれた状態で一旦停止する（Ｓ６０８）。以上が“表面原稿読み取り用搬送工程”である。
【００５２】
その後、逆回転可能な排紙ローラ１４が前記Ｓ６０７における回転方向とは逆の回転を行うことによって、原稿は副搬送路１８を介して主搬送路４に搬送される（Ｓ６０９）。搬送された原稿は、ＰＳローラ６で一旦停止し（Ｓ６１０）、原稿読み取りタイミングに合わせて再搬送される（Ｓ６１１）。搬送された原稿は、原稿読み取り部１９において原稿の裏面原稿の画像情報が読み取られる（Ｓ６１２）。この時、読み取られた裏面原稿の読み取った画像情報は制御部において画像処理した後に画像形成部３００のレーザ発光部に送信される（Ｓ６１３）。
【００５３】
このように、画像処理され、かつ、画像情報が送信される間に、原稿は搬送ローラ１３を介して逆回転可能な排紙ローラ１４に搬送され、その原稿排紙方向への回転と中間トレイ揺動板１５の位置によって、中間トレイ１６に導かれる（Ｓ６１４）。中間トレイ１６に導かれた原稿は、原稿搬送方向の後端を逆回転可能な排紙ローラ１４に挟まれた状態で一旦停止する（Ｓ６１５）。以上が“裏面原稿読み取り搬送工程”である。
【００５４】
さらに、一旦停止した原稿は、逆回転可能な排紙ローラ１４が、前記Ｓ６１４における回転方向とは逆の回転を行うことによって、原稿は副搬送路１８を介して搬送される（Ｓ６１６）。このようにして搬送された原稿は、その後端が原稿入紙センサー５を通過したか否かの判定が行われる（Ｓ６１７）。
【００５５】
この時、原稿後端が通過し、さらに次原稿がある時（Ｓ６１８）には、次原稿は原稿給紙用ピックアップローラ２によって搬送され（Ｓ６１９）、ＰＳローラ６で一旦停止し（Ｓ６２０）、読み取りタイミングが来るまで待機する。このように、次原稿の搬送中においても表裏を読み取られた後の原稿は主搬送路４を搬送される。
【００５６】
このように搬送される原稿が入紙センサー５を通過すると、原稿排紙部の中間トレイ揺動板１５が、ホームポジションＭＨ２にあるか否かの判定がおこなわれる（Ｓ６２１）。この時、中間トレイ揺動板１５は、Ｓ６０３においてホームポジションＭＨ２に配置された状態であるために、ホームポジションＭＨ１に移動する（Ｓ６２５）。
【００５７】
このようにして、中間トレイ揺動板１５の位置が決定される。この間においても、原稿は搬送され、搬送ローラ１３を介して逆回転可能な排紙ローラ１４に搬送され、原稿排紙方向への回転と中間トレイ揺動板１５の位置によって、原稿は、原稿排紙トレイ１７に排出される（Ｓ６２３）。
【００５８】
この時、前記のように、一旦、ＰＳローラ６で待機している次原稿は、読み取りが終了している通過原稿が原稿読み取り部１９を通過したことが確認されると（Ｓ６２２）、再度、搬送され原稿の読み取りが実行される。以上が、“原稿の空搬送工程”である。
【００５９】
このような原稿搬送機構および原稿読み取り部の動作によって、両面原稿の読み取りが行われる。その両面原稿の読み取り工程には、“表面原稿読み取り用搬送工程”、“裏面原稿読み取り搬送工程”、および“原稿の空搬送工程”の３つの原稿搬送工程がある。
【００６０】
このような３つの搬送工程を行う理由は、原稿読み取りのための２つの工程は当然必要であるが、“裏面原稿読み取り搬送”工程の終了後に、中間トレイ揺動板１５の位置を移動させて、原稿排紙トレイ１７に原稿を排紙すると、複数枚の原稿を載置するときに、原稿の表裏順番が合わず頁揃えが出来ない状態となる。このような不都合を解消するために“原稿の空搬送”の工程を設け、整然と頁揃えができるようにしている。
【００６１】
他方、原稿固定方式における読み取り動作は以下の通りである。
露光用の光源２２、第１ミラー２３１を有する第１キヤリッジ１１および第２、３ミラー２３２，２３３を有する第２キヤリッジ１２は、図１における左端位置に設定されたホームポジションＨ１で待機している。
【００６２】
読み取り開始の指令に従って、第１、２のキヤリッジ１１，１２は、要求されるコピー倍率に応じた移動速度に達するまで加速を行い、所定の速度で一定な移動を行って、原稿台２１に載置された原稿を読み取る。その時、第２キャリッジ１２は、第１キヤリッジ１１の半分の速度で移動する様に、ワイヤー、プーリ（図示省略）が設定され、両キヤリッジ１１，１２は、要求される原稿サイズに応じて移動し、読み取りをおこなった後は、逆方向に移動し、ホームポジションＨ１へ戻る。
【００６３】
以上のように構成される原稿移動・固定併用の原稿読み取り部２００にあっては、原稿移動方式の帯状のプラテンガラス７は、ユーザーが手で触れることがあり、その場合、６５℃以上に温度が上昇していると、人間の細胞が破壊されるおそれがあり、問題となる。そのため、従来では、光源２２付近の温度上昇防止対策として別途冷却ファン等の部材を追加する必要があった。
【００６４】
一方、原稿固定方式では、光源２２が移動を繰り返すので、原稿台（プラテンガラス）２１の温度上昇は、原稿移動方式に比べて低く、定格電圧を入力しても、プラテンガラス２０上の温度は６５℃まで上昇せず問題はない。
【００６５】
しかし、原稿移動方式では、１００Ｖを入力するとプラテンガラス７上の温度は６５℃を超えてしまう。そこで、本実施の形態では、原稿移動式での読み取りが選択された時には、光源２２の入力電圧を、原稿固定式での入力電圧より低く設定している。具体的には、原稿固定式時には１００Ｖ、原稿移動式時には８０Ｖを入力するようにしている。
【００６６】
図６には、光源２２の入力電圧ごとの原稿移動方式のプラテンガラス７上の温度の変化を示し、また、図７には、原稿固定方式の原稿台２１の温度の変化を示す。原稿移動方式では、光源２２への入力電圧を下げることにより、温度上昇も下がり、８０Ｖを入力した場合、プラテンガラス７上の温度を、概ね、６５℃以下に抑えることができる。他方、原稿固定方式では、プラテンガラス２０は、表面積も大きく、１００Ｖを入力しても、その温度は５０℃程度であり、何ら問題はない。
【００６７】
以上のように、原稿固定方式で原稿を読み取る時の光源光量に対して、原稿移動方式で原稿を読み取る時の光学ユニットの光源光量を低く設定したことにより、原稿移動方式のプラテンガラス７の温度上昇を抑えることができ、もし、手が触れても、火傷しないように、ユーザーの安全性の向上を図ると共に、温度上昇による周辺の部品の変形、熱による取り付け精度のバラツキ等の発生をも防止して、安定した品質の高い読み取り画像を得ることができる。
【００６８】
図８は、異なる実施形態の構成を示し、この場合、光源２２、第１リフレクタ４１、第１ミラー２３１、および、光源２２点灯用のインバーター（図示省略）を設けた光学ユニット（第１キヤリッジ）１１が、図１の右端に位置し、原稿移動方式の原稿読み取り位置に待機している。そして、光学ユニット１１の上方には、プラテンガラス７が設けられ、読み取られる原稿Ｇは、プラテンガラス７上を図の矢印の方向へ搬送される。
【００６９】
その光源２２の入力電圧は、前実施形態で説明したように、８０Ｖに設定されており、プラテンガラス７上の原稿読み取り位置には、光源２２からの直接光および第１リフレクタ４１を介した間接光が照射され、その原稿Ｇの反射光が、第１ミラー２３１を介して、さらに左方向に位置する第２、３ミラー２３２，２３３（図１参照）にて折り返されて結像レンズ２４を通してＣＣＤ２５面上に結像される。
【００７０】
この場合、光源２２の入力電圧が、８０Ｖに設定されているので、温度上昇は低く抑えられるため問題ないが、光源２２の光量は、原稿固定式時の入力１００Ｖでの光量より低くなる。光量が低くなるとそれに比例してＣＣＤ２５に照射される光量も低くなり、ＣＣＤ２５の出力電圧が低下する。ＣＣＤ基板にはさまざまな要因によりノイズが発生し、そのノイズ成分は一定の大きさであらわれる為、ＣＣＤ２５の出力が低くなるとノイズの影響が大きくなりＳ／Ｎ比の劣化につながる。そのＳ／Ｎの劣化が著しい場合は読み取り画像の再現性に影響を及ぼし画質が低下する。
【００７１】
そこで、本発明では、図８に示すように、原稿移動方式による読み取り位置における装置外装フレーム４２に、第２リフレクタ４３を形成し、その第２リフレクタ４３を介した間接光をも、プラテンガラス７上の読み取り位置に集光させるようにしている。これにより、光源２２の入力電圧が８０Ｖであっても、原稿面の照度は、原稿固定式時と同等の照度を得ることが可能となり、発熱現象を抑制することができる。
【００７２】
ところで、図９に示す比較例（従来の場合）では、原稿移動方式では、原稿Ｇの後端部は、浮き上がり、光源２２の直接光の比率が大きい場合にはカゲが発生し、画像に影響する。本実施形態では、上述のように、第２リフレクタ４３による間接光が増えるため、図１０に示すように、読み取り位置に照射される光量における間接光の比率が増加して、原稿Ｇの後端のカゲをなくすことが可能となる。つまり、間接光の光量の方が、直接光の光量よりも大となるため、カゲの発生をなくすことができる。
【００７３】
図１１は、別の実施形態を示し、この場合、原稿移動式読み取り位置近傍に集光レンズ４５を配置し、光源２２からの照射光をプラテンガラス７上の読み取り位置に集光させ、原稿Ｇの読み取り面上の照射点ａにおける照度を向上させるようにしている。つまり、光源２２と、原稿Ｇの照射点ａとの中間位置に集光レンズ４５を配置している。
【００７４】
このような構成では、プラテンガラス７との間に配置される集光レンズ４５を介した読み取り位置（照射点ａ）での照度は、図１２に示すように、光源２２への入力電圧を下げても、良好な画像を得られる程度の充分な原稿面照度（照射光量）を確保することができる。
【００７５】
図１２に示すように、集光レンズ４５の深度を選択することにより、入力電圧が１（符号○）でも、照射光を１’（符号●）のレベルに向上させることができるが、この場合、入力電圧が低いために、Ｓ／Ｎ比の低下が著しい。Ｓ／Ｎの低下が著しい場合は、読み取り画像の再現性に影響を及ぼし画質が低下する。従って、入力電圧をあまり下げるのは好ましくなく、例えば、２、３のように、ある程度の高さを保った方が、Ｓ／Ｎ比の低下を防ぐことができ、結果として、良好な画像品質を確保することができる。具体的には、８０Ｖ程度の入力電圧とするのが好ましい。
【００７６】
このように、光源２２への入力を低く設定することによって、光源２２の温度の上昇そのものを抑えて、ユーザーの安全性の向上を図ることができると共に、温度上昇による周辺の部品の変形、熱による取り付け精度のバラツキの発生を防止して安定した読み取り画像を得ることが可能となり、かつ、Ｓ／Ｎ比の低下を抑制して、良好な画像品質を得ることができる。
【００７７】
図１３は、さらに異なる実施形態を示し、この場合、原稿読み取り位置には、集光プラテンガラス７１を配置し、通常のプラテンガラスと集光レンズを兼用した構造とし、光源２２からの照射光は、集光プラテンガラス７１の集光レンズ部１７１を介して原稿Ｇの読み取り位置（照射点ａ）に集光されるようにし、かつ、図示のように、その原稿からの反射光を、第１ミラー２３１を介して、さらに左方向に位置する第２、３ミラー２３２、２３３にて折り返されて結像レンズ２４を通してＣＣＤ２５面上に結像させる。その際、集光レンズ部１７１は、光源２２からの照射光のみを集光し、原稿面からの反射光光路を遮蔽しない位置に設定されるものとする。
【００７８】
この場合、光源２２の入力電圧は、原稿固定方式では１００Ｖ、原稿移動方式では８０Ｖとし、原稿面への照射光量は図１２に示すように、いずれの読み取り方式においても同一レベルとなるように設定する。このように、集光プラテンガラス７１が集光レンズと兼用されることによって、図１１で示したような単品の集光レンズ４５を配置する場合よりも、構成を簡素化することができ、装置のコンパクト化とコスト安を実現することができる。
【００７９】
【発明の効果】
以上のように構造される本発明は、以下のような効果を奏する。
【００８０】
請求項１によれば、光源光量を変化させることによって、光源から発生する熱量を少なくすることが可能となり、光学ユニットの発熱現象の発生を抑制することができ、光学ユニットそのものの温度を低くすることができ、安全性が向上し、かつ、温度上昇による周辺の部品の変形、熱による取り付け精度のバラツキの発生を防止して安定した読み取り画像を得ることが可能となり、Ｓ／Ｎ比の劣化をも抑制して、良好な画像品質を得ることができる。
【００８４】
集光レンズで光源からの照射光を集光させることによって、より少ない光源光量で充分な照射光量を得ることができる。従って、光源光量そのものを低減することができ、光学ユニットの発熱そのものを抑制することができる。また、Ｓ／Ｎ比の劣化を防止することも可能となる。
【００８５】
請求項２によれば、光源と、原稿読み取り位置との間に、集光レンズを配置することにより、原稿面への照射光のみ集光し、受光画像情報へ影響を与えることなく、原稿面照度を向上させることができる。
【００８６】
請求項３によれば、集光レンズを単独で（独立に）配置するよりも、プラテンガラスと兼用して一体化することにより、機構の小型化が可能となり、構成の簡素化をも図ることができる。
【００８７】
請求項４によれば、光源光量を前記集光レンズにて原稿面へ集光することにより、必要最低限の光源光量で良好な画像を得ることが可能となり、光学ユニットの発熱そのものを抑制することができる。また、Ｓ／Ｎ比の劣化を防止することも可能となる。
【図面の簡単な説明】
【図１】本発明の本発明の実施形態に係る画像形成装置の構成図である。
【図２】同移動式原稿読み取り装置の構成図である。
【図３】同原稿読み取り動作を説明するためのフローチャートである。
【図４】同片面原稿の場合のフローチャートである。
【図５】同両面原稿の場合のフローチャートである。
【図６】同原稿移動方式におけるプラテンガラスの温度上昇を示すグラフである。
【図７】同原稿固定方式におけるプラテンガラスの温度上昇を示すグラフである。
【図８】本発明の異なる実施形態に係る原稿読み取り装置の要部構成図である。
【図９】同原稿後端にカゲが発生する比較例の説明図である。
【図１０】同原稿後端にカゲが発生しないことの説明図である。
【図１１】本発明の別の実施形態に係る原稿読み取り装置の要部構成図である。
【図１２】同光源への入力電圧と照射光量の関係を示すグラフである。
【図１３】本発明のさらに異なる実施形態に係る原稿読み取り装置の要部構成図である。
【符号の説明】
１１−光学ユニット（第１キャリッジ）
２２−光源
４１−リフレクタ（第１リフレクタ）
４３−リフレクタ（第２リフレクタ）
４５−集光レンズ
１００−スキャナー（スキャナー光学系）
【図１】
0003995400.tif 000002
【図２】
0003995400.tif 000003
【図３】
0003995400.tif 000004
【図４】
0003995400.tif 000005
【図５】
0003995400.tif 000006
【図６】
0003995400.tif 000007
【図７】
0003995400.tif 000008
【図８】
0003995400.tif 000009
【図９】
0003995400.tif 000010
【図１０】
0003995400.tif 000011
【図１１】
0003995400.tif 000012
【図１２】
0003995400.tif 000013
【図１３】
0003995400.tif 000014